(57)【特許請求の範囲】
【請求項１】
鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面と直交する方向又は当該方向と近傍の方向に向かって押圧する押圧面を有する指当部を突設し、湾曲状又は折り曲げ状を形成している可動辺を備えており、静止辺の後端は、長手方向が静止辺及び可動辺と隣接する位置にて同一方向又は環状内に向かって鈍角を形成する方向にて接続しており、しかも先端側の２枚の板の開閉によって前記平面方向と直交する方向又は当該方向と近傍の方向に弾性力を発揮している開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の押圧によって開閉部の閉鎖状態を実現する一方、前記弾性力の方向と逆方向に設定されている指当部の押圧を介して前記各物同士の離脱によって開閉部の開放状態を実現している環状留着金具。
【請求項２】
前記開閉バネの２枚の開閉板における開閉作動と直交する方向の形状及び被覆部の形状が、環状部の内側に窪んでいることによる湾曲状又は折り曲げ状を形成していることを特徴とする請求項１記載の環状留着金具。
【請求項３】
鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面方向又は当該方向と近傍の方向に押圧面を有する指当部を突設し、前記平面方向に沿って湾曲状又は折り曲げ状を形成している可動辺を備えており、静止辺の後端は、長手方向が静止辺及び可動辺と隣接する位置にて同一方向又は環状内に向かって鋭角を形成する方向にて接続しており、しかも先端側の２枚の板の開閉によって前記平面方向又は当該方向と近傍の方向に弾性力を発揮する変形可能である開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の当接によって開閉部の閉鎖状態を実現する一方、前記弾性力の方向と逆方向に設定されている指当部の押圧を介して前記各物同士の離脱によって開閉部の開放状態を実現している環状留着金具。
【請求項４】
鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面方向又は当該方向と近傍の方向に押圧面を有する指当部を突設し、前記平面方向に沿って湾曲状又は折り曲げ状を形成している可動辺を備えており、静止辺の後端は、長手方向が静止辺及び可動辺と隣接する位置にて同一方向又は環状内に向かって鋭角を形成する方向にて接続しており、しかも先端側の２枚の板の開閉によって前記平面方向又は当該方向と近傍の方向に弾性力を発揮する変形可能である開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の環状辺の内側又は外側への押圧によって開閉部の閉鎖状態を実現する一方、前記弾性力の方向と逆方向に設定されている指当部の押圧を介して前記各物同士の離脱によって開閉部の開放状態を実現している環状留着金具。
【請求項５】
前記開閉バネの２枚の開閉板における開閉作動に沿った方向の形状及び被覆部の形状が、環状部の内側に窪んでいることによる湾曲状又は折り曲げ状を形成していることを特徴とする請求項３、４の何れか一項に記載の環状留着金具。
【請求項６】
鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面方向又は当該方向と近傍の方向に押圧面を有する指当部を突設し、前記平面方向に沿って湾曲状又は折り曲げ状を形成している可動辺を備えており、静止辺の後端は、長手方向が静止辺と隣接する位置にて当該静止辺の湾曲方向又は折り曲げ方向と直交方向又は当該方向と近傍の方向にて環状の内側に突設されており、しかも先端側の２枚の板の開閉によって前記平面方向又は当該方向と近傍の方向に弾性力を発揮している開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の押圧によって開閉部の閉鎖状態を実現する一方、前記弾性力の方向と逆方向に設定されている指当部の押圧を介して前記各物同士の離脱によって開閉部の開放状態を実現している環状留着金具。
【請求項７】
被覆部が、最も大きな面積を提示する方向である正面視において円板形状であって、しかも可動辺の後端をも被覆していることを特徴とする請求項６記載の環状留着金具。
【請求項８】
静止辺が先端にて有している前記各物及び可動辺が先端にて有している前記各物の何れか一方が凹部を有する塊状部であり、他方が凸部を有する塊状部であって、凹部及び凸部の嵌合を伴って開閉部の閉鎖状態を実現する押圧が行われていることを特徴とする請求項１、２、４、５、６、７の何れか一項に記載の環状留着金具。
【請求項９】
静止辺が先端にて有している前記各物及び可動辺が先端にて有している前記各物の何れか一方が凹溝を形成している塊状部であって、他方の塊状部又は当接部の当該凹溝への嵌入を伴って、開閉部の閉鎖状態を実現する当接が行われていることを特徴とする請求項３記載の環状留着金具。
【請求項１０】
当接部の先端近傍が当接する方向と反対側の方向に反り返った湾曲部を形成していることを特徴とする請求項１、２、３、４、５、６、７、８、９の何れか一項に記載の環状留着金具。
【請求項１１】
前記当接によって開閉部を閉鎖した場合の環状形状が、円形、又は楕円形、又はハート型、又はコーナーが湾曲している疑似矩形型、又は一辺が円弧状に突出している疑似三角形、又はコーナーが湾曲している疑似矩形の何れかであることを特徴とする請求項１、２、３、４、５、６、７、８、９、１０の何れか一項に記載の環状留着金具。
【請求項１２】
指当部の押圧面が可動辺から離れるに従って、押圧する面の側に向かって傾斜しているか、又は湾曲していることを特徴とする請求項１、２、３、４、５、６、７、８、９、１０、１１の何れか一項に記載の環状留着金具。
【請求項１３】
指当部が内側に穴を有する環状であることを特徴とする請求項１、２、３、４、５、６、７、８、９、１０、１１の何れか一項に記載の環状留着金具。
【請求項１４】
請求項１又は請求項３又は請求項４又は請求項６の環状留着金具と装飾用の宝石を支持している鎖とを、一方側環状部及び他方側環状部が接続しているネックレス、又はペンダント。
【発明の詳細な説明】
【技術分野】
【０００１】
本発明は、宝石を支持する鎖との間にて２個の環状部が介在している留着金具及び当該留着金具を使用したネックレス又はペンダントを対象としている。
【背景技術】
【０００２】
ネックレス、ペンダントにおいては、装飾用の宝石を支持している鎖の両端は、２個の環状部を介して留着金具と接続しており、このうち一方側の環状部は留着金具と着脱自在であり、他方側の環状部は予め留着金具に嵌合することによる構成が採用されている。
【０００３】
このような留着金具としては、特許文献１に示すように、２本の棒状のバー（第１本体部１及び第２本体部２）を付勢手段（バネ３）の付勢によって開閉自在とすることによって、一方側の環状部（調節用金具５４）を挿脱自在とし、２本のバーの一方側（第１本体部）の後端に連結用穴（連結用環１３）と装飾用の宝石と連結している連結環５３とを相互に嵌合することによって、宝石を支持している鎖と接合する構成を開示している（要約書及び図２、図３、図４、図５）。
【０００４】
しかしながら、このような２本のバーの開閉による留着金具の形状は、環状の宝石を鎖によって支持した状態にて順次連結しているネックレス、ペンダントの形状とマッチせず、装身具としての装飾効果に支障を来し、極めて不適切である。
【０００５】
具体的には、装身具中に洗濯ばさみが介在しているようなイメージを与える点において、装飾効果上明らかにマイナスである。
【０００６】
ネックレス又はペンダントに使用され、環状の宝石の形状とマッチする留着金具として、例えば特許文献２に示すように、円弧状に湾曲している環状留着金具が採用されている。
【０００７】
具体的には、鎖（線状アクセサリの一部）を挿脱する開閉部（連結部）を開閉するスライド部材（閉部材９）を円弧状の留着金具（環状のアクセサリ留具６）内をスライドするスライド部材、当該スライド部材と結合し、かつ移動させる指当部（可動把手１０）、及び当該スライド部材を押圧するコイルスプリングを採用している（要約書及び図６、図１２）。
【０００８】
しかしながら、上記環状留着金具におけるスライド部は、円弧状の方向に沿って移動するが、指当部に対する指による押圧は略直線方向であるため、スライド部は中空状の辺の内壁との摩擦抵抗が発生し、円滑なスライドを実現することは極めて困難である。
【０００９】
その結果、円滑な開閉を実現するためには、指当部を円周に沿って移動させることを必要とするが、このような移動を実現するには、相当の器用さを必要不可欠とする。
【００１０】
しかも、指当部及びスライド部を付勢するコイルスプリングは、成形された段階では本来直線状であるにも拘らず、円弧状を形成している中空内に設置されているため、当該中空を形成する内壁との摩擦抵抗によって十分な弾性力を発揮することができない。
【００１１】
その結果、スライド部の移動距離が限定されており、開閉部において開閉を実現するスペースもまた限定されざるを得ない状況にある。
【００１２】
このため、鎖と接続されている一方側の環状部を開閉部に嵌入するには、相当の器用な作業を必要不可欠としている。
【００１３】
このように、ネックレス又はペンダントに使用する留着金具においては、手指によって容易にスライド部を付勢させ、かつ十分なスペースを有する開閉部を実現するような構成はこれまで提唱されていない。
【先行技術文献】
【特許文献】
【００１４】
【特許文献１】特開２００７−１９５６０６号公報
【特許文献２】特開２０１５−６１５９３号公報
【発明の概要】
【発明が解決しようとする課題】
【００１５】
本発明は、スライド部を不要とし、しかも必要にして十分なスペースによる開閉部の開放状態を有する開閉部を形成することができる環状留着金具の構成を提供することを課題としている。
【課題を解決するための手段】
【００１６】
前記課題を解決するため、本発明は、以下の基本構成（１）、（２）、（３）、（４）の環状留着金具及び基本構成（５）のネックレス又はペンダントを採用している。
（１）鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面と直交する方向又は当該方向と近傍の方向に向かって押圧する押圧面を有する指当部を突設し、湾曲状又は折り曲げ状を形成している可動辺を備えており、静止辺の後端は、長手方向が静止辺及び可動辺と隣接する位置にて同一方向又は環状内に向かって鈍角を形成する方向にて接続しており、しかも先端側の２枚の板の開閉によって前記平面方向と直交する方向又は当該方向と近傍の方向に弾性力を発揮している開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の押圧によって開閉部の閉鎖状態を実現する一方、前記弾性力の方向と逆方向に設定されている指当部の押圧を介して前記各物同士の離脱によって開閉部の開放状態を実現している環状留着金具。
（２）鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面方向又は当該方向と近傍の方向に押圧面を有する指当部を突設し、前記平面方向に沿って湾曲状又は折り曲げ状を形成している可動辺を備えており、静止辺の後端は、長手方向が静止辺及び可動辺と隣接する位置にて同一方向又は環状内に向かって鋭角を形成する方向にて接続しており、しかも先端側の２枚の板の開閉によって前記平面方向又は当該方向と近傍の方向に弾性力を発揮する変形可能である開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の当接によって開閉部の閉鎖状態を実現する一方、前記弾性力の方向と逆方向に設定されている指当部の押圧を介して前記各物同士の離脱によって開閉部の開放状態を実現している環状留着金具。
（３）鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面方向又は当該方向と近傍の方向に押圧面を有する指当部を突設し、前記平面方向に沿って湾曲状又は折り曲げ状を形成している可動辺を備えており、静止辺の後端は、長手方向が静止辺及び可動辺と隣接する位置にて同一方向又は環状内に向かって鋭角を形成する方向にて接続しており、しかも先端側の２枚の板の開閉によって前記平面方向又は当該方向と近傍の方向に弾性力を発揮する変形可能である開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の環状辺の内側又は外側への押圧によって開閉部の閉鎖状態を実現する一方、前記弾性力の方向と逆方向に設定されている指当部の押圧を介して前記各物同士の離脱によって開閉部の開放状態を実現している環状留着金具。
（４）鎖と結合している一方側環状部を挿脱自在とする開閉部、及び鎖と結合している他方側環状部と嵌合し合っている突設穴部を備えている環状留着金具であって、前記留着金具は、先端にて凹面又は平面を形成している皿部又は立体形状を有する塊状部、又は先端部及び／若しくはその近傍における当接部を有し、かつ前記突設穴部と結合した上で、共通の平面方向に沿って湾曲状又は折り曲げ状を形成している静止辺、及び先端に前記皿部又は前記塊状部又は前記当接部を有し、かつ前記平面方向又は当該方向と近傍の方向に押圧面を有する指当部を突設し、前記平面方向に沿って湾曲状又は折り曲げ状を形成している可動辺を備えており、静止辺の後端は、長手方向が静止辺と隣接する位置にて当該静止辺の湾曲方向又は折り曲げ方向と直交方向又は当該方向と近傍の方向にて環状の内側に突設されており、しかも先端側の２枚の板の開閉によって前記平面方向又は当該方向と近傍の方向に弾性力を発揮している開閉バネの後端側及び当該バネの周囲の全部又は一部の周囲を被覆し、かつ開閉バネとして作動する２枚の板のうち一方側の不動板と当接している被覆部と結合しており、可動辺の後端が前記２枚の板のうち、被覆部と当接していない他方側の可動板と結合しており、開閉バネの前記弾性力を介して静止辺が先端にて有している前記各物に対する可動辺が先端にて有している前記各物の押圧によって開閉部の閉鎖状態を実現する一方、前記弾性力の方向と逆方向に設定されている指当部の押圧を介して前記各物同士の離脱によって開閉部の開放状態を実現している環状留着金具。
（５）基本構成（１）又は基本構成（２）又は基本構成（３）又は基本構成（４）の環状留着金具と装飾用の宝石を支持している鎖とを、一方側の環状部及び他方側の環状部が接続しているネックレス、又はペンダント。
【発明の効果】
【００１７】
基本構成（１）、（２）、（３）、（４）の各環状留着金具及び基本構成（５）のネックレス又はペンダントにおいては、スライド部によるスライドを不要とした上で、開閉バネの弾性力の方向と反対方向への指当部の単なる押圧操作によって、静止辺が先端にて有している前記各物に対する可動辺が先端にて有している前記各物による押圧（基本構成（１）、（３）、（４）の場合）又は当接（基本構成（２）の場合）に基づく開閉部の閉鎖状態及び当該押圧又は当接からの離脱に基づく開閉部の開放状態を実現し、かつ当該開閉部において、必要にして十分なスペースによる開放状態を確保することができる。
【００１８】
しかも、環状の形状によって、環状の宝石によって順次接合しているネックレス又はペンダントの装飾効果とマッチすることができる一方、特許文献２のような円弧状を必要不可欠としていないことから、様々な形状の環状留着金具を実現することができる。
【００１９】
更には、留着金具の辺内にスライド部が存在しないため、静止辺及び可動辺を中空状態ではなく、充填状態を選択することができることから、従来の環状留着金具に比し、微細な静止辺及び可動辺によって、必要な強度による留着金具を実現することができる。
【図面の簡単な説明】
【００２０】
【図１】実施例１の指当部の構成を示しており、（ａ）は、指当部が移動する直線状方向と直交し、かつ環状部の外側方向に突設された方向の側面図を示しており、（ｂ）は、押圧面の様々な形状による実施例の平面図を示す。
【図２】実施例２の指当部の構成を示しており、（ａ）は、指当部が移動する直線状方向と直交し、かつ環状部の外側方向に突設された方向の側面図を示しており、（ｂ）は、押圧面の様々な形状による実施例の平面図を示す。
【図３】基本構成（１）の構成を示しており、（ａ）は、開閉部を閉鎖した場合の部分破断正面図であり、（ｂ）は、開閉バネ及び被覆部と静止辺及び可動辺との結合関係を示す側面図であり（尚、白線矢印は、可動辺によって結合している開閉バネの可動板を押圧する方向を示す。）、（ｃ）は、静止辺及び可動辺の先端における開閉部の開閉状態を示す側面図であり（尚、上側図面における白線矢印は、可動辺の先端における物が静止辺の先端における物を下側に押圧する方向を示し、下側図面の直線矢印は、可動辺の先端における物が静止辺の先端における物から離脱する方向を示す。）、（ｄ）は、開閉バネの好ましい実施形態を示す正面図であり、（ｅ）は、一方側環状部の平面図であり、（ｆ）は、凹形状を有する塊状部及び凸形状を有する塊状部同士の嵌合を伴う押圧状態を示す側面図及び断面図である。
【図４】基本構成（２）の構成を示しており、（ａ）は、開閉部を閉鎖した場合の部分破断正面図であり（尚、白線矢印は、指当部を押圧する方向及び可動辺が開閉バネの可動板の弾性力に逆らって当該可動板を押圧する方向を示し、下側の往復矢印は、可動辺の先端の物が開閉自在の状態を示す。）、（ｂ）、（ｃ）は、静止辺及び可動辺の先端における開閉部を開放した場合の具体例を示す側面図であり（尚、直線矢印は、可動辺の先端における各物が静止辺の先端における各物から離脱する方向を示す。）、（ｄ）は、開閉バネの好ましい実施形態を示す破断面図であり、（ｅ）は、一方側環状部の平面図であり、（ｆ）は、凹溝を伴う塊状部と当接部の当該凹溝に対する嵌入を伴う当接状態を示す正面図及び断面図である。
【図５】基本構成（３）の構成を示しており、（ａ）は、開閉部を閉鎖した場合の部分破断正面図であり（尚、白線矢印は、指当部を押圧する方向及び可動辺が開閉バネの可動板の弾性力に逆らって当該可動板を押圧する方向を示し、下側の往復矢印は、可動辺の先端の物が開閉自在の状態を示す。）、（ｂ）、（ｃ）は、静止辺及び可動辺の先端における開閉部を開放した場合の具体例を示す側面図であり、（ｄ）は、指当部の可動辺における突設状態を示す側面図であり、（ｅ）は、一方側環状部の平面図であり、（ｆ）は、凹形状を有する塊状部及び凸形状を有する塊状部同士の嵌合を伴う押圧状態を示す正面図及び断面図である。
【図６】基本構成（４）の構成を示しており、（ａ）は、開閉部を閉鎖した場合の部分破断正面図であり（尚、白線矢印は、指当部を押圧する方向及び可動辺が開閉バネの可動板の弾性力に逆らって当該可動板を押圧する方向を示し、下側の往復矢印は、可動辺の先端の物が開閉自在の状態を示す。）、（ｂ）、（ｃ）は、静止辺及び可動辺の先端における開閉部を開放した場合の具体例を示す側面図であり、（ｄ）は、指当部の可動辺における突設状態を示す側面図であり、（ｅ）は、一方側環状部の平面図であり、（ｆ）は、凹形状を有する塊状部及び凸形状を有する塊状部同士の嵌合を伴う押圧状態を示す側面図及び平面図である。
【図７】開閉部を閉鎖した場合の環状に関する実施形態を各先端部において皿部及び塊状部を選択した場合について示しており、（ａ）、（ｄ）は、基本構成（１）に立脚している楕円形の場合を示し、（ｂ）は、基本構成（２）に立脚しているハート形の場合を示し、（ｃ）は、基本構成（３）に立脚し、かつ底辺が円形に突出している疑似三角形型（俗称：ツユ型）の場合を示す。
【発明を実施するための形態】
【００２１】
基本構成（１）は、図３（ａ）、（ｂ）、（ｃ）に示すように、鎖６と結合している一方側環状部５１を挿脱自在とする開閉部１３、及び鎖６と結合している他方側環状部５２と嵌合し合っている突設穴部１４を備えている環状留着金具であって、前記留着金具は、先端にて凹面又は平面を形成している皿部４１又は立体形状を有する塊状部４２、又は先端部及び／若しくはその近傍における当接部４３を有し、かつ前記突設穴部１４と結合した上で、共通の平面方向に沿って湾曲状又は折り曲げ状を形成している静止辺１１、及び先端に前記皿部４１又は前記塊状部４２又は前記当接部４３を有し、かつ前記平面と直交する方向又は当該方向と近傍の方向に向かって押圧する押圧面を有する指当部２を突設し、湾曲状又は折り曲げ状を形成している可動辺１２を備えており、静止辺１１の後端は、長手方向が静止辺１１及び可動辺１２と隣接する位置にて同一方向又は環状内に向かって鈍角を形成する方向にて接続しており、しかも先端側の２枚の板の開閉によって前記平面方向と直交する方向又は当該方向と近傍の方向に弾性力を発揮している開閉バネ３の後端側及び当該バネの周囲の全部又は一部の周囲を被覆し、かつ開閉バネ３として作動する２枚の板のうち一方側の不動板と当接している被覆部３１と結合しており、可動辺１２の後端が前記２枚の板のうち、被覆部３１と当接していない他方側の可動板と結合しており、開閉バネ３の前記弾性力を介して静止辺１１が先端にて有している前記各物に対する可動辺１２が先端にて有している前記各物の押圧によって開閉部１３の閉鎖状態を実現する一方、前記弾性力の方向と逆方向に設定されている指当部２の押圧を介して前記各物同士の離脱によって開閉部１３の開放状態を実現している環状留着金具である。
【００２２】
即ち、開閉バネ３が静止辺１１によって形成されている平面方向と直交又は当該方向と近傍の方向にて弾性力を発揮することによって、図３（ｃ）の上側に示すように、静止辺１１の先端にて有している前記各物を可動辺１２が先端にて有している前記各物が当該方向に押圧することによる閉鎖状態を実現する一方、指当部２の押圧面に対する上記方向と反対方向への押圧によって、前記各物同士を離脱し、開閉部１３の開放を実現している。
【００２３】
尚、基本構成（１）においては、可動辺１２は、開閉部１３を開放する際、指当部２の押圧によって、前記平面方向に直交する方向又はその近傍の方向という前記弾性力と逆らう方向によって移動する以上、可動辺１２の湾曲又は折り曲げ方向は、必ずしも静止辺１１によって形成されている平面方向に沿っている訳ではない。
【００２４】
個別の作動について具体的に説明するに、ネックレス又はペンダントとして使用する段階では、図３（ｃ）の上側に示すように、開閉部１３は閉鎖した状態を形成しているが、ユーザーは、図３（ｂ）に示すように、開閉バネ３による静止辺１１及び可動辺１２の先端部が有している物を押圧している弾性力に逆らって、指当部２の押圧面を、静止辺１１によって形成されている平坦面に直交する方向と当該方向と近傍の方向に押圧した場合には（尚、図３（ｂ）においては、可動辺１２は開閉バネ３の可動板の弾性力を発揮する方向の側の面と当接することによって、当該可動板との結合を実現しているが、当該結合関係は、このような当接状態に限定される訳ではなく、例えば図４（ａ）及び図４（ｄ）に示すように、開閉バネ３の可動板との固着によって実現することもできる。）、図３（ｃ）の下側図面に示すように、各先端部における物は相互に離脱し、開閉部１３を開放状態とし、かつ図３（ｅ）のような平面形状を有している一方側環状部５１を図３（ａ）に示すように環状留着金具内にて挿入状態とすることができる（図３（ｃ）においては、各先端において皿部４１及び塊状部４２を選択している場合を示すが、可動辺１２の先端及びその近傍による当接部４３を選択することも当然可能である。）。
【００２５】
尚、指当部２については、図３（ａ）に示すように、静止辺１１に設置されている平面方向に沿って突設することが好ましい。
【００２６】
基本構成（１）においては、開閉バネ３は、静止辺１１及び可動辺１２と隣接する位置にて同一方向又は環状内に向かって鈍角を形成する方向にて接続されているが、通常は図３（ａ）に示すように、鈍角を形成する角度にて接続している。
【００２７】
開閉バネ３の長手方向の寸法を大きく設定するほど、開閉部１３においては大きな開閉のスペースを確保することができる。
【００２８】
このような場合、図３（ｄ）に示すように、前記開閉バネ３の開閉板における開閉作動と直交する方向の形状及び被覆部３１の形状が、環状部側に窪んだことによる湾曲状又は折り曲げ状を形成していることを特徴とする実施形態を採用した場合には、開閉バネ３自体が環状の形状の形成に寄与しており、しかも大きな開閉のスペースの確保と両立することができる。
【００２９】
図３（ｆ）は、凹凸形状を有する塊状部４２の嵌合を伴う押圧状態を示す実施形態を示しており、技術上のメリットは後述する通りである。
【００３０】
基本構成（２）は、図４（ａ）、（ｂ）、（ｃ）に示すように、鎖６と結合している一方側環状部５１を挿脱自在とする開閉部１３、及び鎖６と結合している他方側環状部５２と嵌合し合っている突設穴部１４を備えている環状留着金具であって、前記留着金具は、先端にて凹面又は平面を形成している皿部４１又は立体形状を有する塊状部４２、又は先端部及び／若しくはその近傍における当接部４３を有し、かつ前記突設穴部１４と結合した上で、共通の平面方向に沿って湾曲状又は折り曲げ状を形成している静止辺１１、及び先端に前記皿部４１又は前記塊状部４２又は前記当接部４３を有し、かつ前記平面方向又は当該方向と近傍の方向に押圧面を有する指当部２を突設し、前記平面方向に沿って湾曲状又は折り曲げ状を形成している可動辺１２を備えており、静止辺１１の後端は、長手方向が静止辺１１及び可動辺１２と隣接する位置にて同一方向又は環状内に向かって鋭角を形成する方向にて接続しており、しかも先端側の２枚の板の開閉によって前記平面方向又は当該方向と近傍の方向に弾性力を発揮する変形可能である開閉バネ３の後端側及び当該バネの周囲の全部又は一部の周囲を被覆し、かつ開閉バネ３として作動する２枚の板のうち一方側の不動板と当接している被覆部３１と結合しており、可動辺１２の後端が前記２枚の板のうち、被覆部３１と当接していない他方側の可動板と結合しており、開閉バネ３の前記弾性力を介して静止辺１１が先端にて有している前記各物に対する可動辺１２が先端にて有している前記各物の当接によって開閉部１３の閉鎖状態を実現する一方、前記弾性力の方向と逆方向に設定されている指当部２の押圧を介して前記各物同士の離脱によって開閉部１３の開放状態を実現している環状留着金具である。
【００３１】
即ち、静止辺１１によって形成されている平面方向又は当該方向と直交する方向の弾性力を発揮することができる開閉バネ３によって、図４（ａ）の下側に示すように、静止辺１１が先端にて有している前記各物を可動辺１２が先端にて有している前記各物が当接することによる閉鎖状態を実現する一方、指当部２の押圧面に対する上記方向と反対方向への押圧によって前記物同士を離脱し、かつ開閉部１３の解放を実現している（図４（ａ）は、開閉部１３につき、環状を形成する静止辺１１の内側からの当接及び内側への離脱を示しているが、逆に外側からの当接及び外側への離脱も当然可能である。）。
【００３２】
尚、基本構成（２）においては、開閉バネ３が前記平面方向ではなく、当該方向の近傍の方向に弾性力を発揮する場合であっても、開閉バネ３の可動部と可動辺１２との結合状態が変化しない以上、可動辺１２もまた、静止辺１１と同様に平面形状に沿った方向を維持している。
【００３３】
個別の作動について具体的に説明するに、ネックレス又はペンダントとして使用する段階では、図４（ａ）の下端側に示すように、開閉部１３は閉鎖した状態を形成しているが、ユーザーは、開閉バネ３の各先端が有している物の当接状態を維持しようとする弾性力に逆らって、指当部２の押圧面を、静止辺１１において形成されている平面方向に沿って、前記先端における各物を相互に離脱する方向に押圧した場合には、図４（ｂ）、（ｃ）に示すように、前記各物は相互に離脱し、開閉部１３を開放状態とし、かつ図４（ｅ）のような平面形状を有している一方側環状部５１を図４（ａ）に示すように環状留着金具内にて挿入状態とすることができる（図４（ｂ）、（ｃ）においては、各先端において塊状部４２及び可動辺１２の当接部４３を採用した場合を示すが、基本構成（２）の各先端による物としては、塊状部４２をも当然採用することができる。）。
【００３４】
尚、指当部２については、図４（ａ）に示すように、静止辺１１によって形成された平面方向に沿って、可動辺１２から外側に突設することによる実施形態、又は当該平面と直交する方向に設定することが好ましい。
【００３５】
基本構成（２）においては、開閉バネ３は、静止辺１１及び可動辺１２と隣接する位置にて同一方向又は環状内に向かって鈍角を形成する方向にて接続されているが、通常は図４（ａ）に示すように、鈍角を形成する角度にて接続している。
【００３６】
開閉バネ３の長手方向の寸法を大きく設定するほど、開閉部１３においては大きな開閉のスペースを確保することができる。
【００３７】
このような場合、図４（ｄ）に示すように、前記開閉バネ３の両側の板の形状及び被覆部３１の形状が、環状部側に窪んだことによる湾曲状又は折り曲げ状を形成することを特徴とする実施形態を採用した場合には、開閉バネ３自体が環状の形状の形成に寄与しており、しかも大きな開閉のスペースの確保と両立することができる。
【００３８】
図４（ｆ）は、塊状部４２の凹溝への他の塊状部４２の嵌入を伴う当接を実現する実施形態を示しており、当該実施形態の技術的メリットについては後述する通りである。
【００３９】
基本構成（３）は、図５（ａ）、（ｂ）、（ｃ）に示すように、鎖６と結合している一方側環状部５１を挿脱自在とする開閉部１３、及び鎖６と結合している他方側環状部５２と嵌合し合っている突設穴部１４を備えている環状留着金具であって、前記留着金具は、先端にて凹面又は平面を形成している皿部４１又は立体形状を有する塊状部４２、又は先端部及び／若しくはその近傍における当接部４３を有し、かつ前記突設穴部１４と結合した上で、共通の平面方向に沿って湾曲状又は折り曲げ状を形成している静止辺１１、及び先端に前記皿部４１又は前記塊状部４２又は前記当接部４３を有し、かつ前記平面方向又は当該方向と近傍の方向に押圧面を有する指当部２を突設し、前記平面方向に沿って湾曲状又は折り曲げ状を形成している可動辺１２を備えており、静止辺１１の後端は、長手方向が静止辺１１及び可動辺１２と隣接する位置にて同一方向又は環状内に向かって鋭角を形成する方向にて接続しており、しかも先端側の２枚の板の開閉によって前記平面方向又は当該方向と近傍の方向に弾性力を発揮する変形可能である開閉バネ３の後端側及び当該バネの周囲の全部又は一部の周囲を被覆し、かつ開閉バネ３として作動する２枚の板のうち一方側の不動板と当接している被覆部３１と結合しており、可動辺１２の後端が前記２枚の板のうち、被覆部３１と当接していない他方側の可動板と結合しており、開閉バネ３の前記弾性力を介して静止辺１１が先端にて有している前記各物に対する可動辺１２が先端にて有している前記各物の環状辺の内側又は外側への押圧によって開閉部１３の閉鎖状態を実現する一方、前記弾性力の方向と逆方向に設定されている指当部２の押圧を介して前記各物同士の離脱によって開閉部１３の開放状態を実現している環状留着金具である。
【００４０】
即ち、静止辺１１によって形成されている平面方向又は当該方向と直交する方向の弾性力を発揮することができる開閉バネ３によって、図５（ａ）の下側に示すように、静止辺１１が先端にて有している前記各物を可動辺が先端にて有している前記各物が押圧することによる閉鎖状態を実現する一方、指当部２の押圧面に対する上記方向と反対方向への押圧によって前記物同士を離脱し、かつ開閉部１３の解放を実現している（図５（ａ）は、開閉部１３につき、環状を形成する静止辺１１の内側からの押圧及び内側への離脱を示しているが、逆に外側からの押圧及び外側への離脱も当然可能である。）。
【００４１】
尚、基本構成（３）においては、開閉バネ３が前記平面方向ではなく、当該方向の近傍の方向に弾性力を発揮する場合であっても、開閉バネ３の可動部と可動辺１２との結合状態が変化しない以上、可動辺１２もまた、静止辺１１と同様に平面形状に沿った方向を維持している。
【００４２】
個別の作動について具体的に説明するに、ネックレス又はペンダントとして使用する段階では、図５（ａ）の下端側に示すように、開閉部１３は閉鎖した状態を形成しているが、ユーザーは、開閉バネ３の各先端が有している物の当接状態を維持しようとする弾性力に逆らって、指当部２の押圧面を、静止辺１１において形成されている平面方向に沿って、前記先端における各物を相互に離脱する方向に押圧した場合には、図５（ｂ）、（ｃ）に示すように、前記各物は相互に離脱し、開閉部１３を開放状態とし、かつ図５（ｅ）のような平面形状を有している一方側環状部５１を図５（ａ）に示すように環状留着金具内にて挿入状態とすることができる（図５（ｂ）、（ｃ）においては、各先端において塊状部４２及び可動辺１２の当接部４３を採用した場合を示すが、基本構成（３）の各先端による物としては、塊状部４２をも当然採用することができる。）。
【００４３】
尚、指当部２については、図５（ａ）に示すように、静止辺１１によって形成された平面方向に沿って、可動辺１２から外側に突設することによる実施形態、又は当該平面と直交する方向に設定することが好ましい。
【００４４】
基本構成（３）においては、開閉バネ３は、静止辺１１及び可動辺１２と隣接する位置にて同一方向又は環状内に向かって鈍角を形成する方向にて接続されているが、通常は図５（ａ）に示すように、鈍角を形成する角度にて接続している。
【００４５】
開閉バネ３の長手方向の寸法を大きく設定するほど、開閉部１３においては大きな開閉のスペースを確保することができる。
【００４６】
このような場合、図５（ｄ）に示すように、前記開閉バネ３の両側の板の形状及び被覆部３１の形状が、環状部側に窪んだことによる湾曲状又は折り曲げ状を形成することを特徴とする実施形態を採用した場合には、開閉バネ３自体が環状の形状の形成に寄与しており、しかも大きな開閉のスペースの確保と両立することができる。
【００４７】
図５（ｆ）は、凹凸形状を有する塊状部４２の嵌合を伴う押圧状態を示す実施形態を示しており、技術上のメリットは後述する通りである。
【００４８】
基本構成（４）は、図６（ａ）、（ｂ）、（ｃ）に示すように、鎖６と結合している一方側環状部５１を挿脱自在とする開閉部１３、及び鎖６と結合している他方側環状部５２と嵌合し合っている突設穴部１４を備えている環状留着金具であって、前記留着金具は、先端にて凹面又は平面を形成している皿部４１又は立体形状を有する塊状部４２、又は先端部及び／若しくはその近傍における当接部４３を有し、かつ前記突設穴部１４と結合した上で、共通の平面方向に沿って湾曲状又は折り曲げ状を形成している静止辺１１、及び先端に前記皿部４１又は前記塊状部４２又は前記当接部４３を有し、かつ前記平面方向又は当該方向と近傍の方向に押圧面を有する指当部２を突設し、前記平面方向に沿って湾曲状又は折り曲げ状を形成している可動辺１２を備えており、静止辺１１の後端は、長手方向が静止辺１１と隣接する位置にて当該静止辺１１の湾曲方向又は折り曲げ方向と直交方向又は当該方向と近傍の方向にて環状の内側に突設されており、しかも先端側の２枚の板の開閉によって前記平面方向又は当該方向と近傍の方向に弾性力を発揮している開閉バネ３の後端側及び当該バネの周囲の全部又は一部の周囲を被覆し、かつ開閉バネ３として作動する２枚の板のうち一方側の不動板と当接している被覆部３１と結合しており、可動辺１２の後端が前記２枚の板のうち、被覆部３１と当接していない他方側の可動板と結合しており、開閉バネ３の前記弾性力を介して静止辺１１が先端にて有している前記各物に対する可動辺１２が先端にて有している前記各物の押圧によって開閉部１３の閉鎖状態を実現する一方、前記弾性力の方向と逆方向に設定されている指当部２の押圧を介して前記各物同士の離脱によって開閉部１３の開放状態を実現している環状留着金具である。
【００４９】
即ち、図６（ａ）の下側に示すように、長手方向が静止辺１１と隣接する位置にて、当該静止辺１１の方向と直交する方向又はその近傍の方向にて環状の内側に突設させている開閉バネ３が、静止辺１１によって形成されている平面方向又は当該方向と近傍の方向に弾性力を発揮することによって、静止辺１１が先端にて有している前記各物を可動辺１２が先端にて有している前記各物が当該方向に押圧することによる閉鎖状態を実現する一方、指当部２の押圧面に対する上記方向と反対方向への押圧によって、前記各物同士を離脱し、開閉部１３の開放を実現している。
【００５０】
尚、開閉バネ３が前記平面方向ではなく、当該方向の近傍の方向に弾性力を発揮する場合であっても、開閉バネ３の可動部と可動辺１２との結合状態が変化しない以上、可動辺１２もまた、静止辺１１と同様に平面形状に沿った方向を維持している。
【００５１】
個別の作動について具体的に説明するに、ネックレス又はペンダントとして使用する段階では、図６（ａ）の下端側に示すように、開閉部１３は閉鎖した状態を形成しているが、ユーザーは、開閉バネ３の各先端における物を押圧する弾性力に逆らって、指当部２の押圧面を、静止辺１１において形成されている平面方向によって、前記先端における各物を引き離す方向に押圧した場合には、図６（ｂ）、（ｃ）に示すように、前記各物は相互に離脱し、開閉部１３を開放状態とし、かつ図６（ｅ）のような平面形状を有している一方側環状部５１を図６（ａ）に示すように環状留着金具内にて挿入状態とすることができる。
【００５２】
尚、指当部２については、図６（ａ）、（ｄ）に示すように、静止辺１１において形成されている平面方向と直交する方向に突設することが好ましい。
【００５３】
基本構成（４）においては、開閉バネ３の長手方向が静止辺１１と隣接する位置にて、当該静止辺１１からの湾曲方向又は折り曲げ方向と直交方向又は近傍の方向に当接され、かつ当該開閉バネ３の弾性力によって、各先端における物の開閉を実現している。
【００５４】
上記のような開閉バネ３の長手方向の設置状態によって、基本構成（４）の環状形状は、基本構成（１）、（２）、（３）の場合に比し、静止辺１１の後端及びその近傍にて、湾曲状態及び折れ曲がり状態に対し急激な変形が行われた印象の形成を否定することができない。
【００５５】
このような印象の効果を希薄状態とするために、図６（ａ）に示すように、被覆部３１が、最も大きな面積を提示する方向である正面視において円板形状であって、しかも可動辺１２の後端をも被覆していることを特徴とする実施形態が好適に採用されている。
【００５６】
図６（ｆ）は、凹凸形状を有する塊状部４２の嵌合を伴う押圧状態を示す実施形態を示しており、技術上のメリットは後述する通りである。
【００５７】
静止辺１１及び可動辺１２の各先端における立体形状を有する塊状部４２の形状は特に限定される訳ではないが、通常、図３（ａ）、（ｃ）、図４（ｂ）、（ｃ）、図５（ｂ）、（ｃ）、図６（ａ）に示すように、静止辺１１の先端に支持された球形状の一部が典型的な実施形態として採用することができる。
【００５８】
しかしながら、塊状部４２の形状としては、例えば楕円球の一部、又は立方体の一部をも採用することができる。
【００５９】
当接部４３は、可動辺１２の先端及び／若しくはその近傍において形成されており、かつ皿部４１、塊状部４２との押圧（但し、基本構成（１）、（３）、（４）の場合）、又は当接（但し、基本構成（２）の場合）を実現しているが、当接部４３の典型的な形状は、図４（ｂ）、図５（ｂ）、図６（ｃ）に示すように、当接部４３の先端近傍が当接する方向と反対側の方向に反り返った湾曲部を形成している形状の場合には、単なる先端における当接の場合よりも当接面積を広く設定し、安定した当接状態を実現し得ることから、好適な実施形態として採用することができる。
【００６０】
図３（ｆ）、図５（ｆ）、図６（ｆ）に示すように、静止辺１１が先端にて有している前記各物及び可動辺１２が先端にて有している前記各物の何れか一方が凹部を有する塊状部４２であり、他方が凸部を有する塊状部４２であって、凹部及び凸部の嵌合を伴って開閉部１３の閉鎖状態を実現する押圧が行われていることを特徴とする実施形態の場合には、開閉部１３においては、嵌合による安定した押圧状態を実現することができる。
【００６１】
更には、図４（ｆ）に示すように、静止辺１１が先端にて有している前記各物及び可動辺１２が先端にて有している前記各物の何れか一方が凹溝を形成している塊状部４２であって、他方の塊状部４２又は当接部４３の当該凹溝への嵌入を伴って、開閉部１３の閉鎖状態を実現する当接が行われていることを特徴とする実施形態の場合には、前記嵌入を伴う当接によって、安定した当接状態を実現することができる。
【００６２】
図３（ａ）、図４（ａ）、図５（ａ）、図６（ａ）は、静止辺１１及び可動辺１２が円弧状であって、全体として円形の環状を提示している。
【００６３】
しかしながら、環状の形状としては、決してこのような円形のみに限定される訳ではない。
【００６４】
具体的には、図７（ａ）に示すような楕円形、図７（ｂ）に示すハート形、図７（ｃ）に示すような一辺が円弧状の状態にて突出している疑似三角形（俗称：ツユ形状）、図７（ｄ）に示すようなコーナーが湾曲している疑似矩形等を採用することができる。
【００６５】
即ち、特許文献２の場合のような円弧状のスライド部が存在しないため、基本構成（１）、（２）、（３）、（４）においては、環状の形状として色々な形状を選択することが可能となる。
【００６６】
以下、実施例に即して説明する。
【実施例１】
【００６７】
実施例１は、図１（ａ）に示すように、指当部２のうち、指によって押圧される面が環状留着金具から離れるにしたがって押圧される側に傾斜するか又は順次湾曲していることを特徴としている。
【００６８】
前記特徴点によってユーザーは、指先又は爪先を指当部２の押圧面側にタッチした上で、容易に指当部２を押圧しながらスライド部を移動させ、開閉部１３の開放を容易に実現することができる。
【００６９】
実施例１の指当部２の形状としては、図１（ｂ）に示すように、円形型、略四角形型、星型、楕円型、略十文字型、ハート型、疑似三角形型、Ｖ字型、略三角形状型等の形状を採用することができる。
【００７０】
尚、実施例１においては、例えば図１（ｂ）の一部に示すように、押圧面のライン状の凸部を設けた場合には、指先又は爪先を当該凸部に容易に掛合することができる。
【実施例２】
【００７１】
実施例２は、図２（ｂ）に示すように、指当部２が、指先又は爪先を掛合し得るような環状を形成していることを特徴としている。
【００７２】
このような特徴点によって、ユーザーは、指先又は爪先を環状を形成している穴部に掛合することによって、指当部２を押圧しながら容易にスライド部を移動させ、開閉部１３の開放を実現することができる。
【００７３】
実施例２においては、図２（ａ）に示すように、指当部２の移動方向と直交する状態の側面図が図示されているが、実施例１の場合と同様に、環状留着金具の位置から離れるにしたがって、押圧される側に傾斜するか又は湾曲する構成（図１（ａ）の構成）を兼用することも可能である。
【００７４】
実施例２における押圧面は、図２（ｂ）に示すように、円輪型、楕円輪型、略四角形輪型、略三角形輪型、略ハート輪型等の様々な形状を採用することができる。
【産業上の利用可能性】
【００７５】
本願発明による環状留着金具及び当該留着金具を使用するネックレス又はペンダントにおいては、環状でありながら中空領域をスライドするスライド部を不要としており、指当部の押圧面に対する押圧という単純な操作を介した開閉バネに対する操作に基づき、開閉部として必要にして十分なスペースを確保する一方、中空状態を不要とする結果、細い素材による静止辺及び可動辺を実現するだけでなく、多様な形状の留着金具の実現によって、ネックレス又はペンダントの装飾効果と十分マッチすることができる点において、その利用範囲は広範である。
【符号の説明】
【００７６】
１１  静止辺
１２  可動辺
１３  開閉部
１４  突設穴部
２    指当部
３    開閉バネ
３１  被覆部
４１  皿部
４２  塊状部
４３  当接部
５１  一方側環状部
５２  他方側環状部
６    鎖
【要約】
【課題】スライド部を不要とし、しかも必要にして十分なスペースの開閉部を備えている環状留着金具の構成を提供すること。
【解決手段】一方側環状部５１を挿脱する開閉部１３、他方側環状部５２と嵌合している突設穴部１４を備えている環状留着金具であって、前記留着金具は、先端に開閉に関与する物を有し、かつ前記突設穴部１４と結合している静止辺１１、及び先端に開閉に関与する物を有しており、指当部２を突設している可動辺１２を備えており、静止辺１１の後端は、開閉バネ３の後端側及び開閉バネ３を被覆し、かつその不動板が当接している被覆部３１と結合しており、可動辺１２の後端は開閉バネ３の可動板と結合することによって、前記各先端における各物間の押圧又は当接及び離脱によって、開閉部１３の開閉及び一方側環状部５１の挿脱を実現し、かつ前記課題を達成している環状留着金具。
【選択図】図５【図１】
0006744684.tif 000002
【図２】
0006744684.tif 000003
【図３】
0006744684.tif 000004
【図４】
0006744684.tif 000005
【図５】
0006744684.tif 000006
【図６】
0006744684.tif 000007
【図７】
0006744684.tif 000008